(57)【要約】 【課題】  正確な基準値を得ることができ、シェーディング補正などの補正を精度良く行なうことのできる原稿読取装置を提供する。【解決手段】  原稿読取装置１００の画像処理部１０３の第２画像処理部２２０は、第２原稿読取手段２０の読取り可能な読取可能領域Ｓ０よりも寸法の小さい白基準シートを第２原稿読取手段２０によって複数回読取って取得される読取可能領域内の全ての画素の画素値に基づいて、読取可能領域内の全ての画素の基準値を求め、前記基準値に基づいて、第２原稿読取手段２０によって読取られる原稿の原稿画像を補正する。【選択図】      図１
2009016915.tif 000002
【特許請求の範囲】
【請求項１】
原稿の原稿画像を読取る原稿読取部と、
原稿読取部の読取り可能な読取可能領域よりも寸法の小さい基準原稿を原稿読取部によって複数回読取って取得される読取可能領域内の全ての画素の画素値に基づいて、読取可能領域内の全ての画素の基準値を求め、前記基準値に基づいて、原稿読取部によって読取られる原稿の原稿画像を補正する画像処理部とを含むことを特徴とする原稿読取装置。
【請求項２】
画像処理部は、
前記基準原稿を原稿読取部によって複数回読取って取得される画素値のうち、各回毎に予め定められ、読取可能領域全体を分割する複数の基準値取得範囲に含まれる画素の画素値を、その画素の基準値としてそれぞれ取得し、取得した各画素の基準値を読取可能領域全体にわたって合成することによって、読取可能領域内の全ての画素の基準値を求める切取合成手段を含むことを特徴とする請求項１に記載の原稿読取装置。
【請求項３】
前記基準原稿は、読取可能領域内の一部の画素の画素値が重複して取得されるように、原稿読取部によって複数回読取られ、
画像処理部は、
読取可能領域のうちで画素値が重複して取得される重複領域の各画素に対する複数の画素値に基づいて、読取可能領域の各画素の画素値を補正するための補正量を求め、前記補正量に基づいて、読取可能領域の各画素の画素値を補正し、補正された画素値を、その画素の基準値として取得し、取得した各画素の基準値を読取可能領域全体にわたって合成することによって、読取可能領域内の全ての画素の基準値を求める補正合成手段を含むことを特徴とする請求項１に記載の原稿読取装置。
【請求項４】
補正合成手段は、重複領域の各画素に対する複数の画素値のうちの１つの画素値と残余の画素値との差分値を前記補正量として求め、読取可能領域の重複領域外の領域で前記残余の画素値とともに取得される各画素の画素値を、前記補正量に基づいて補正することを特徴とする請求項３に記載の原稿読取装置。
【請求項５】
原稿を読取可能領域に搬送する原稿搬送部をさらに含み、
読取可能領域は、予め定める主走査方向に並ぶ複数の画素によって構成され、
原稿読取部は、読取可能領域において原稿搬送部によって主走査方向に直交する副走査方向に搬送される原稿の原稿画像を読取り、
画像処理部は、主走査方向における寸法が読取可能領域の主走査方向における寸法よりも小さい基準原稿を、読取可能領域において原稿搬送部によって副走査方向に搬送させて原稿読取部によって複数回読取って取得される読取可能領域内の全ての画素の画素値に基づいて、読取可能領域内の全ての画素の基準値を求めることを特徴とする請求項１〜４のいずれか１つに記載の原稿読取装置。
【請求項６】
原稿搬送部は、
読取可能領域における原稿の主走査方向に関する位置を、読取可能領域の主走査方向全体にわたって変位可能に規制する一対の規制部材を含むことを特徴とする請求項５に記載の原稿読取装置。
【請求項７】
原稿搬送部は、複数の原稿を連続して搬送可能に構成されることを特徴とする請求項５または６に記載の原稿読取装置。
【請求項８】
請求項１〜７のいずれか１つに記載の原稿読取装置と、
前記原稿読取装置によって読取られる原稿画像に基づいて、出力画像を形成する画像形成手段とを備えることを特徴とする画像形成装置。
【請求項９】
原稿読取部によって読取られる原稿の原稿画像を補正する画像処理方法であって、
原稿読取部の読取り可能な読取可能領域よりも寸法の小さい基準原稿を、原稿読取部によって複数回読取って読取可能領域内の全ての画素の画素値を取得し、
取得された画素値に基づいて、読取可能領域内の全ての画素の基準値を求め、
前記基準値に基づいて、前記原稿画像を補正することを特徴とする画像処理方法。
【発明の詳細な説明】
【技術分野】
【０００１】
本発明は、原稿を読取って、読取られた原稿の原稿画像を補正、たとえばシェーディング補正する原稿読取装置およびそれを備える画像形成装置に関する。また本発明は、読取られた原稿の原稿画像を補正、たとえばシェーディング補正する画像処理方法に関する。
【背景技術】
【０００２】
原稿読取装置では、たとえば製造工程における調整工程において、シート状の白色の基準原稿（以下「白基準シート」という）を原稿読取部によって読取らせ、そのときの出力値、つまり各画素の画素値を、シェーディング補正の基準値として記憶させる。原稿読取部を固定し、原稿を移動させて原稿画像を読取る、いわゆる流し読みを行う原稿送り読取装置の場合、調整工程では、原稿読取部を覆う搬送路を開放し、原稿読取部に白基準シートを挿入して読取らせる。
【０００３】
原稿読取部への白基準シートの挿入は、たとえば作業者によって実施される。作業者によって白基準シートを挿入する場合、調整工程に長時間を要するという問題がある。これに対し、作業者によらずに白基準シートの挿入を行なう原稿読取装置がある（たとえば、特許文献１参照）。特許文献１に開示の原稿読取装置では、搬送装置によって白基準シートを原稿読取部に搬送して読取らせる。
【０００４】
原稿読取部の読取り幅、すなわち原稿読取部が読取り可能な読取可能領域の寸法は、原稿を搬送するときの幅方向におけるずれ、および原稿の斜め送りに対応するべく、読取り可能な最大寸法の原稿として予め定められる原稿の幅方向における寸法（以下「幅方向寸法」という）よりも、幅方向に大きく設定される。また白基準シートを原稿読取部に挿入するときには、位置ずれが生じることがあるので、白基準シートの幅方向における寸法は、挿入するときの位置ずれを考慮して、原稿読取部の読取り幅よりも幅方向にさらに大きい値に選ぶ必要がある。
【０００５】
したがって白基準シートとしては、特許文献１に記載されるように特殊な寸法の専用の白基準シートが必要である。たとえば原稿読取部の読取可能な最大原稿が、日本工業規格（ＪＩＳ）Ｐ０１３８に規定されるＡ４判の原稿を縦長に配置した状態の原稿である場合、原稿読取部の読取り幅は、Ａ４判原稿の長辺部の長さ寸法である２９７ｍｍよりも大きい値、たとえば３０７ｍｍに設定されるので、白基準シートとしては、幅方向寸法が、原稿読取部の読取り幅である３０７ｍｍよりも大きい値、たとえば３１０ｍｍである白基準シートが用いられる。
【０００６】
【特許文献１】特開平７−４６４０３号公報（第３頁，第１，３図）
【発明の開示】
【発明が解決しようとする課題】
【０００７】
白基準シートは、調整工程で何度も繰返し使用されるうちに汚れて利用困難となる。汚れた白基準シートを用いて調整工程を行なうと、正確な基準値が得られないので、シェーディング補正を精度良く行なうことができない。したがって白基準シートが汚れた場合には、汚れの無い新しい白基準シートに交換することが必要である。
【０００８】
特許文献１に開示の原稿読取装置では、専用の白基準シートが用いられるので、白基準シートが高価であり、白基準シートを頻繁に交換することはできない。したがって、汚れた白基準シートを用いて調整工程が行なわれる場合があり、正確な基準値が得られず、シェーディング補正を精度良く行なうことができない場合がある。この場合、原稿画像の読取りが不正確になり、読取られた原稿画像の画質が低下してしまう。
【０００９】
本発明の目的は、正確な基準値を得ることができ、シェーディング補正などの補正を精度良く行なうことのできる原稿読取装置およびそれを備える画像形成装置、ならびに画像処理方法を提供することである。
【課題を解決するための手段】
【００１０】
本発明は、原稿の原稿画像を読取る原稿読取部と、
原稿読取部の読取り可能な読取可能領域よりも寸法の小さい基準原稿を原稿読取部によって複数回読取って取得される読取可能領域内の全ての画素の画素値に基づいて、読取可能領域内の全ての画素の基準値を求め、前記基準値に基づいて、原稿読取部によって読取られる原稿の原稿画像を補正する画像処理部とを含むことを特徴とする原稿読取装置である。
【００１１】
また本発明は、画像処理部は、
前記基準原稿を原稿読取部によって複数回読取って取得される画素値のうち、各回毎に予め定められ、読取可能領域全体を分割する複数の基準値取得範囲に含まれる画素の画素値を、その画素の基準値としてそれぞれ取得し、取得した各画素の基準値を読取可能領域全体にわたって合成することによって、読取可能領域内の全ての画素の基準値を求める切取合成手段を含むことを特徴とする。
【００１２】
また本発明は、前記基準原稿は、読取可能領域内の一部の画素の画素値が重複して取得されるように、原稿読取部によって複数回読取られ、
画像処理部は、
読取可能領域のうちで画素値が重複して取得される重複領域の各画素に対する複数の画素値に基づいて、読取可能領域の各画素の画素値を補正するための補正量を求め、前記補正量に基づいて、読取可能領域の各画素の画素値を補正し、補正された画素値を、その画素の基準値として取得し、取得した各画素の基準値を読取可能領域全体にわたって合成することによって、読取可能領域内の全ての画素の基準値を求める補正合成手段を含むことを特徴とする。
【００１３】
また本発明は、補正合成手段は、重複領域の各画素に対する複数の画素値のうちの１つの画素値と残余の画素値との差分値を前記補正量として求め、読取可能領域の重複領域外の領域で前記残余の画素値とともに取得される各画素の画素値を、前記補正量に基づいて補正することを特徴とする。
【００１４】
また本発明は、原稿を読取可能領域に搬送する原稿搬送部をさらに含み、
読取可能領域は、予め定める主走査方向に並ぶ複数の画素によって構成され、
原稿読取部は、読取可能領域において原稿搬送部によって主走査方向に直交する副走査方向に搬送される原稿の原稿画像を読取り、
画像処理部は、主走査方向における寸法が読取可能領域の主走査方向における寸法よりも小さい基準原稿を、読取可能領域において原稿搬送部によって副走査方向に搬送させて原稿読取部によって複数回読取って取得される読取可能領域内の全ての画素の画素値に基づいて、読取可能領域内の全ての画素の基準値を求めることを特徴とする。
【００１５】
また本発明は、原稿搬送部は、
読取可能領域における原稿の主走査方向に関する位置を、読取可能領域の主走査方向全体にわたって変位可能に規制する一対の規制部材を含むことを特徴とする。
【００１６】
また本発明は、原稿搬送部は、複数の原稿を連続して搬送可能に構成されることを特徴とする。
【００１７】
また本発明は、前記本発明の原稿読取装置と、
前記原稿読取装置によって読取られる原稿画像に基づいて、出力画像を形成する画像形成手段とを備えることを特徴とする画像形成装置である。
【００１８】
また本発明は、原稿読取部によって読取られる原稿の原稿画像を補正する画像処理方法であって、
原稿読取部の読取り可能な読取可能領域よりも寸法の小さい基準原稿を、原稿読取部によって複数回読取って読取可能領域内の全ての画素の画素値を取得し、
取得された画素値に基づいて、読取可能領域内の全ての画素の基準値を求め、
前記基準値に基づいて、前記原稿画像を補正することを特徴とする画像処理方法である。
【発明の効果】
【００１９】
本発明によれば、原稿読取部によって原稿の原稿画像が読取られ、画像処理部によって読取可能領域内の全ての画素の基準値が求められ、この基準値に基づいて、読取られた原稿の原稿画像が補正される。画像処理部は、読取可能領域よりも寸法の小さい基準原稿を原稿読取部によって複数回読取って取得される読取可能領域内の全ての画素の画素値に基づいて、読取可能領域内の全ての画素の基準値を求めるので、読取可能領域の寸法と同じか、それよりも大きい寸法の基準原稿を用いなくても、読取可能領域内の全ての画素の基準値を求めることができる。したがって、たとえば原稿画像の出力画像を形成するときに用いられるような市販の規定寸法の紙を基準原稿として用いて、読取可能領域内の全ての画素の基準値を求めることができるので、汚れが無い、または汚れが可及的に少なく、基準値の取得に適した状態の基準原稿を用いて、基準値を求めることができる。このようにして求められる基準値に基づいて画像処理部が原稿画像を補正するので、原稿画像を精度良く補正することができる。
【００２０】
また本発明によれば、画像処理部は切取合成手段を含む。この切取合成手段によって、基準原稿を原稿読取部で複数回読取って取得される画素値のうち、各回毎に予め定められ、読取可能領域全体を分割する複数の基準値取得範囲に含まれる画素の画素値が、その画素の基準値としてそれぞれ取得されて、読取可能領域全体にわたって合成されることによって、読取可能領域内の全ての画素の基準値が求められる。これによって簡単な構成で、読取可能領域内の全ての画素の基準値を求めることができる。
【００２１】
また本発明によれば、基準原稿が原稿読取部によって複数回読取られることによって、読取可能領域の重複領域では各画素の画素値が重複して取得される。画像処理部は補正合成手段を含み、この補正合成手段によって、重複領域の各画素に対する複数の画素値に基づいて、読取可能領域の各画素の画素値を補正するための補正量が求められ、前記補正量に基づいて、読取可能領域の各画素の画素値が補正されて、その画素の基準値として取得され、取得された各画素の基準値が読取可能領域全体にわたって合成されることによって、読取可能領域内の全ての画素の基準値が求められる。読取可能領域内の全ての画素の画素値は、基準原稿が複数回読取られることによって複数回に分けて取得されるが、前述のように重複領域の各画素に対する複数の画素値に基づいて求められる補正量に基づいて補正合成手段によって補正されて、各画素の基準値として取得されるので、読取可能領域内の全ての画素の画素値が複数回に分けて取得されることによる影響を抑えることができる。たとえば基準原稿を複数回にわたって読取るときに原稿読取部による読取条件が変化した場合であっても、読取条件の変化による影響を抑えることができる。したがって、読取可能領域の寸法と同じか、それよりも大きい寸法の基準原稿を１回読取ることによって読取可能領域内の全ての画素の画素値を基準値として取得する場合と同様に、一定の条件で読取可能領域内の全ての画素の基準値を求めることができる。このように一定の条件で求められる基準値に基づいて、原稿画像が補正されるので、その原稿画像内における画質の変化を抑えることができる。
【００２２】
また本発明によれば、補正合成手段によって、重複領域の各画素に対する複数の画素値のうちの１つの画素値と残余の画素値との差分値が補正量として求められ、この補正量に基づいて、読取可能領域の重複領域外の領域で前記残余の画素値とともに取得される各画素の画素値が補正される。これによって読取可能領域内の全ての画素の画素値が複数回に分けて取得されることによる影響を抑えて、読取可能領域の全ての画素の基準値を一定の条件で求めることのできる原稿読取装置を、簡単な構成で実現することができる。
【００２３】
また本発明によれば、主走査方向に並ぶ複数の画素によって構成される読取可能領域において、原稿搬送部によって主走査方向に直交する副走査方向に搬送される原稿の原稿画像が、原稿読取部によって読取られる。原稿として、読取可能領域よりも寸法の小さい基準原稿、すなわち主走査方向における寸法が、読取可能領域の主走査方向における寸法よりも小さい基準原稿を、読取可能領域において原稿搬送部によって副走査方向に搬送して、原稿読取部によって複数回読取ることによって、読取可能領域内の全ての画素の画素値が取得され、この画素値に基づいて、画像処理部によって読取可能領域内の全ての画素の基準値が求められる。したがって読取可能領域の主走査方向における寸法と同じか、それよりも大きい寸法の基準原稿を用いなくても、読取可能領域内の全ての画素の基準値を求めることのできる原稿読取装置が実現される。
【００２４】
また本発明によれば、原稿は、原稿搬送部の一対の規制部材によって、読取可能領域における主走査方向に関する位置が規制されて、読取可能領域に搬送される。この一対の規制部材は、読取可能領域における原稿の主走査方向に関する位置を、読取可能領域の主走査方向全体にわたって変位可能に規制する。したがって基準原稿を原稿読取部によって複数回読取るときに、読取可能領域における基準原稿の主走査方向に関する位置を主走査方向全体にわたって変位させることができるので、読取可能領域の主走査方向全体にわたって各画素の画素値を求めることができる。これによって読取可能領域の主走査方向全体にわたって各画素の基準値を求めることのできる原稿読取装置が実現される。
【００２５】
また本発明によれば、原稿搬送部によって複数の原稿を連続して読取可能領域に搬送することができる。これによって作業者は、複数の基準原稿を一度に原稿搬送部に供給することによって、複数の基準原稿を連続して読取可能領域に搬送させることができるので、複数の基準原稿を別々に原稿搬送部に供給する場合に比べて、作業者の作業の手間を省くことができる。また複数の基準原稿が連続して読取可能領域に搬送されることによって、複数の基準原稿が原稿読取部によって連続して読取られて、基準原稿が複数回連続して読取られることになるので、基準原稿が連続して搬送されない場合に比べて、読取可能領域内の全ての画素の画素値を取得するのに要する時間を短縮することができる。これによって、読取可能領域の寸法と同じか、それよりも大きい寸法の１つの基準原稿を読取って読取可能領域内の全ての画素の画素値を基準値として取得する場合に比べて、読取可能領域内の全ての画素の基準値の取得に要する時間が過度に長くなることを防ぐことができる。したがって基準値の取得に要する時間を過度に長くすることなく、主走査方向における寸法が読取可能領域の主走査方向における寸法よりも小さい基準原稿を用いて、読取可能領域内の全ての画素の基準値を求めることができる。
【００２６】
また本発明によれば、前述のような優れた原稿読取装置と画像形成手段とを備えて画像形成装置が構成される。原稿読取装置の画像処理部は、読取可能領域よりも寸法の小さい基準原稿を原稿読取部によって複数回読取って取得される読取可能領域内の全ての画素の画素値に基づいて、読取可能領域内の全ての画素の基準値を求めるので、基準値を求めるために読取可能領域の寸法と同じか、それよりも大きい寸法の基準原稿を用いる必要がない。したがって、たとえば市販の規定寸法の紙を基準原稿として用いて基準値を求めることができるので、汚れが無い、または汚れが可及的に少なく、基準値の取得に適した状態の基準原稿を用いて、基準値を求めることができる。このようにして求められる基準値に基づいて、画像処理部が原稿画像を補正するので、原稿画像を精度良く補正することができる。このように精度良く補正された原稿画像に基づいて、画像形成手段によって出力画像が形成されるので、原稿に忠実に即した出力画像を形成可能な画像形成装置が実現される。
【００２７】
また本発明によれば、原稿読取部の読取可能領域よりも寸法の小さい基準原稿が、原稿読取部によって複数回読取られて、読取可能領域内の全ての画素の画素値が取得される。この取得された画素値に基づいて、読取可能領域内の全ての画素の基準値が求められ、この基準値に基づいて、原稿読取部によって読取られる原稿の原稿画像が補正される。このように基準原稿を複数回読取って取得した読取可能領域内の全ての画素の画素値に基づいて、読取可能領域内の全ての画素の基準値が求められるので、読取可能領域の寸法と同じか、それよりも大きい寸法の基準原稿を用いなくても、読取可能領域内の全ての画素の基準値を求めることができる。したがって、たとえば原稿画像の出力画像を形成するときに用いられるような市販の規定寸法の紙を基準原稿として用いて基準値を求めることができるので、汚れが無い、または汚れが可及的に少なく、基準値の取得に適した状態の基準原稿を用いて、基準値を求めることができる。このようにして求められる基準値に基づいて原稿画像が補正されるので、原稿画像を精度良く補正することができる。
【発明を実施するための最良の形態】
【００２８】
図１は本発明の第１の実施形態である原稿読取装置１００の一部の電気的構成を示すブロック図であり、図２は原稿読取装置１００の電気的構成を示すブロック図である。図２では、原稿読取装置１００に外部機器２００が接続された状態を示す。
【００２９】
原稿読取装置１００は、図２に示すように大略的には、制御部１０１と、スキャナ部１０２と、画像処理部１０３と、記憶部１０４と、通信部１０５と、操作パネル部１０６と、原稿走査部駆動モータ１０７ａを駆動制御する走査部用ドライバ１０７と、原稿搬送ローラ駆動モータ１０８ａを駆動制御する搬送ローラ用ドライバ１０８とを含んで構成される。
【００３０】
制御部１０１は、原稿読取装置１００全体の動作制御を管理する部分であり、より詳細には前述のスキャナ部１０２、画像処理部１０３、記憶部１０４、通信部１０５、操作パネル部１０６、走査部用ドライバ１０７および搬送ローラ用ドライバ１０８を含む原稿読取装置１００の各部の動作を制御する。制御部１０１は、図示は省略するが、中央処理装置（Central Processing Unit；略称ＣＰＵ）、ＣＰＵが実行する制御プログラムを格納するＲＯＭ（Read Only Memory）、ＣＰＵにワークエリアを提供するＲＡＭ（Random 
Access Memory）を含んで構成される。
【００３１】
スキャナ部１０２は、第１画像読取手段１０と、第２画像読取手段２０とを含む。第１および第２画像読取手段１０，２０は、原稿の原稿画像を読取り、読取った原稿画像を画像処理部１０３に出力する。第１および第２原稿読取手段１０は、原稿の原稿画像をアナログ信号として読取る。第２画像読取手段２０は、原稿読取部に相当する。第１画像読取手段１０は第１撮像素子１４を含み、第２画像読取手段２０は第２撮像素子２４を含む。第１および第２撮像素子１４，２４は、原稿からの反射光を受光し、受光量に応じた電気信号を出力する。第１および第２撮像素子１４，２４は、たとえば電荷結合素子（Charge 
Coupled Device；略称ＣＣＤ）によって実現される。本実施形態では、第１および第２撮像素子１４，２４は、複数の画素が予め定める主走査方向Ｘに一列に配置されるＣＣＤラインセンサによって実現される。この複数の画素が配置される領域が、第１および第２画像読取手段１０，２０の読取り可能な読取可能領域Ｓ０となる。本実施形態では、第１および第２画像読取手段１０，２０の読取可能領域Ｓ０は、主走査方向Ｘに並ぶ複数の画素によって構成される。
【００３２】
画像処理部１０３は、第１および第２画像読取手段１０，２０によって読取られた原稿画像を処理する。たとえば画像処理部１０３は、第１画像読取手段１０または第２画像読取手段２０によって読取られた原稿画像を、予め定める単位、たとえばページ単位で処理する。
【００３３】
記憶部１０４は、制御部１０１によって制御される制御中のデータ、および入力された各種指示内容を記憶する。記憶部１０４は、スキャナ部１０２で読取られた原稿画像を記憶する原稿画像記憶部として機能する領域および、変換された文字列のコードからなる文書を記憶する文書記憶部として機能する領域を備える。記憶部１０４は、たとえばＲＡＭ、ＥＥＰＲＯＭ（Electrically Erasable Programmable Read Only Memory）、ハードディスクおよび光磁気ディスク（Magneto optical disc：略称ＭＯ）を含んで構成される。
【００３４】
通信部１０５は、外部機器２００、たとえばコンピュータまたはプリンタとの間で双方向通信を行なう通信部であり、画像処理部１０３によって画像処理されたデータを外部機器２００に送信し、外部機器２００から送信されるデータを受信する。通信部１０５は、外部機器２００から送信されてきたデータを、原稿読取装置１００が扱うことのできるデータに展開するためのメモリを備える。
【００３５】
操作パネル部１０６は、原稿を読取るときの原稿読取装置１００の動作モードを使用者が入力するとき、たとえば片面読取りモードおよび両面読取りモードのいずれの読取りモードかの指定を使用者が入力するときなどに用いられる。操作パネル部１０６は、後述する図４では図示を省略するが、原稿読取装置１００の図４の紙面に向かって手前側に配置される。具体的には、主走査部２の筐体３をＡＤＦ１よりも図４の紙面に向かって手前側まで拡張し、その上面部分に配置される。
【００３６】
原稿走査部駆動モータ１０７ａは、後述する図４に示す第１画像読取手段１０の光源ユニット１５およびミラーユニット１６を適宜の速度で副走査方向に移動させるためのモータであり、制御部１０１からの制御に基づいて、走査部用ドライバ１０７によって適宜駆動制御される。
【００３７】
原稿搬送ローラ駆動モータ１０８ａは、後述する図４に示す原稿搬送路Ｆに配置された呼び込みローラ６、搬送ローラ７、レジストローラ８および排紙ローラ９などの各ローラを駆動するモータであり、制御部１０１からの制御に基づいて、搬送ローラ用ドライバ１０８によって適宜駆動制御される。
【００３８】
図３は原稿読取装置１００を示す斜視図であり、図４は原稿読取装置１００を示す断面図である。図３は、本実施形態の原稿読取装置１００の全体の外観を示す。本実施形態の原稿読取装置１００は、たとえば後述する図１９に示す画像形成装置５０の上部を構成する。原稿読取装置１００は、大略的には、原稿を原稿搬送路Ｆに沿って自動的に搬送する自動原稿送り装置（Automatic Document Feeder；略称ＡＤＦ）１と、主走査部２とを含んで構成される。ＡＤＦ１と主走査部２とは、不図示のヒンジによって連結される。ＡＤＦ１は、ヒンジの回動によって、主走査部２に対して開閉可能となっている。
【００３９】
ＡＤＦ１は、前述の第２画像読取手段２０を含み、主走査部２は、前述の第１画像読取手段１０を含む。第１画像読取手段１０は、ＡＤＦ１によって搬送されてきた原稿の厚み方向一方側の表面である第１面（以下「表面」という）の画像を読取り、第２画像読取手段２０は、ＡＤＦ１によって搬送されてきた原稿の厚み方向他方側の表面である第２面（以下「裏面」という）の画像を読取る。
【００４０】
主走査部２は、大略的には、筐体３と、原稿が載置される原稿載置面を有するプラテン板４と、筐体３内に収容される前述の第１画像読取手段１０とを含んで構成される。プラテン板４は、透光性を有し、たとえば透明なガラス板によって実現され、矩形板状に形成される。原稿載置面は、プラテン板４の厚み方向一表面を構成する。第１画像読取手段１０は、プラテン板４を挟んで、プラテン板４の原稿載置面に載置される原稿とは反対側に配置される。
【００４１】
第１画像読取手段１０は、原稿の原稿画像を光学的に縮小して読取る縮小光学系の画像読取手段であり、光源１１と、第１〜第３ミラー１２ａ，１２ｂ，１２ｃと、レンズ１３と、前述の第１撮像素子１４とを含んで構成される。光源１１および第１ミラー１２ａは、光源ユニット１５に含まれ、第２および第３ミラー１２ｂ，１２ｃは、ミラーユニット１６に含まれる。すなわち第１画像読取手段１０は、光源１１および第１ミラー１２ａを含む光源ユニット１５と、第２ミラー１２ｂおよび第３ミラー１２ｃを含むミラーユニット１６と、レンズ１３と、第１撮像素子１４とを含んで構成される。
【００４２】
主走査部２は、使用者が原稿をプラテン板４に載置して原稿画像の読取りを行なう原稿固定方式による画像読取と、ＡＤＦ１によって自動的に原稿を搬送しながら原稿画像を読取る原稿移動方式による画像読取との両方式に対応する。すなわち主走査部２は、原稿固定方式による画像読取動作と、原稿移動方式による画像読取動作とに使用される。図４では、原稿移動方式によって原稿画像を読取る状態を示す。
【００４３】
原稿固定方式によって原稿画像を読取る場合、画像読取動作が開始されると、光源ユニット１５およびミラーユニット１６は、原稿固定方式に対応するホームポジションにそれぞれ移動する。その後、光源ユニット１５は、原稿に対して主走査方向Ｘに沿って光を照射しながら、一定の速度で主走査方向Ｘに直交する副走査方向Ｙ、図４では紙面に向かって左右方向に移動して原稿の画像を走査する。光源ユニット１５の移動と同時に、ミラーユニット１６は、光源ユニット１５の移動速度の２分の１（１／２）の移動速度で、光源ユニット１５と同じく副走査方向Ｙに移動する。
【００４４】
光源ユニット１５から照射され原稿で反射した光は、光源ユニット１５の第１ミラー１２ａで反射した後、ミラーユニット１６の第２および第３ミラー１２ｂ，１２ｃで順次反射されて、１８０°光路変換される。第３ミラー１２ｃで反射した光は、レンズ１３を介して第１撮像素子１４に結像し、電気的な画像データに変換される。
【００４５】
原稿移動方式によって原稿画像を読取る場合、光源ユニット１５およびミラーユニット１６は、原稿移動方式に対応するホームポジション、すなわち図４に示されるホームポジションＰ１に静止したまま、ホームポジションＰ１に配置された光源ユニット１５に対向する位置を通過するように、具体的には光源ユニット１５の上方を通過するようにＡＤＦ１によって搬送される原稿に対して、光源１１から光を照射して原稿の画像を走査する。原稿は、表面および裏面のうち、表面側が第１画像読取手段１０の光源１１を臨むように搬送される。原稿の表面で反射された光は、前述の原稿固定方式によって原稿画像を読取る場合と同様に、光源ユニット１５の第１ミラー１２ａによって反射された後、ミラーユニット１６の第２および第３ミラー１２ｂ，１２ｃによって１８０°光路変換され、レンズ１３を介して第１撮像素子１４に結像し、電気的な画像データに変換される。
【００４６】
ＡＤＦ１は、大略的には、前述の第２画像読取手段２０と、原稿搬送部３１と、第２画像読取手段２０および原稿搬送部３１を収容する筐体２７と、排紙トレイ３０とを含んで構成される。第２画像読取手段２０および原稿搬送部３１を含むＡＤＦ１の各部の動作は、制御部１０１によって制御される。原稿搬送部３１は、複数の原稿を連続して搬送可能に、より詳細には複数の原稿を第２画像読取手段２０に対して連続送給可能に構成される。
【００４７】
原稿搬送部３１は、原稿が載置される原稿載置台５と、原稿載置台５に載置される原稿の主走査方向Ｘにおける位置を規制する一対の規制部材である第１規制部材３２および第２規制部材３３と、原稿載置台５に載置された原稿を、予め定める原稿搬送路Ｆに沿って搬送し、排紙トレイ３０に排出する搬送手段３４とを含んで構成される。第１および第２規制部材３２，３３は、それぞれ主走査方向Ｘに移動可能に設けられる。第１および第２規制部材３２，３３は、板状であり、原稿載置台５の主走査方向Ｘにおける両端部に設けられる。第１および第２規制部材３２，３３は、主走査方向Ｘに移動することによって、第１および第２画像読取手段１０，２０の読取可能領域Ｓ０における原稿の主走査方向Ｘにおける位置を、読取可能領域Ｓ０の主走査方向Ｘ全体にわたって変位可能に規制する。
【００４８】
搬送手段３４は、原稿載置台５に載置された原稿を１枚ずつＡＤＦ１の内部へ呼び込む呼び込みローラ６と、呼び込まれた原稿を原稿搬送路Ｆに沿って搬送する複数対の搬送ローラ７と、給紙タイミングを調節するレジストローラ８と、画像の読取りが終わった原稿を排紙トレイ３０へ排出する排紙ローラ９とを含んで構成される。呼び込みローラ６、搬送ローラ７、レジストローラ８および排紙ローラ９は、ユニット化された第２画像読取手段２０が、略Ｕ字状に弧を描く原稿搬送路Ｆ内に収まるように配設される。
【００４９】
原稿搬送部３１は、原稿載置台５に載置される原稿を、第１および第２規制部材３１，３２で規制して、搬送手段３４によって原稿搬送路Ｆに沿って搬送することによって、第１および第２画像読取手段１０，２０の読取可能領域Ｓ０に搬送する。読取可能領域Ｓ０では、原稿搬送部３１によって副走査方向Ｙに原稿が搬送され、この副走査方向Ｙに搬送される原稿の原稿画像を、第１および第２画像読取手段１０，２０がそれぞれ読取る。
【００５０】
第２画像読取手段２０は、縮小光学系の画像読取手段であり、光源２１と、光源２１を保持する光源ホルダ２５と、第１〜第４ミラー２２ａ，２２ｂ，２２ｃ，２２ｄと、レンズ２３と、前述の第２撮像素子２４とを含んで構成される。第２画像読取手段２０は、光源２１、光源ホルダ２５、第１〜第４ミラー２２ａ，２２ｂ，２２ｃ，２２ｄ、レンズ２３および第２撮像素子２４が１つの集合体をなすようにユニット用筐体２６に収容されることによってユニット化されている。第２画像読取手段２０において、光源ホルダ２５に保持される光源２１、レンズ２３および第２撮像素子２４は、それぞれ第１画像読取手段１０を構成する光源１１、レンズ１３または第１撮像素子１４と同一のものによって実現される。
【００５１】
ＡＤＦ１を構成する筐体２７の下面は、主走査部２のプラテン板４に載置された原稿を上から押さえる押さえ板２８として機能する。この押さえ板２８は、第２画像読取手段２０の光源ホルダ２５に対峙する部分が開放可能な蓋体２９となっている。
【００５２】
第２画像読取手段２０は、原稿移動方式による画像読取動作に使用される。第２画像読取手段２０は、第２画像読取手段２０は、使用者から両面読取りの要求がなされたとき、すなわち使用者によって操作パネルから両面読取りの要求が入力されたときに、原稿搬送路Ｆを搬送される原稿の裏面の画像を読取る。具体的には、第１画像読取手段１０によって原稿の表面側の画像が読取られた後に、その原稿が原稿搬送路Ｆに沿って排出トレイ３０へ向けて搬送される間に、第２画像読取手段１０の光源２１に対向する位置、具体的には光源ホルダ２５の下方を通過するときに、第２画像読取手段２０によって原稿の裏面側の画像が読取られる。このとき、第２画像読取手段２０の光源２１は原稿の裏面側へ向けて光を照射する。原稿の裏面側で反射された光は、第１〜第４ミラー２２ａ，２２ｂ，２２ｃ，２２ｄによって順次光路変換された後、レンズ２３を介して第２撮像素子２４に結像し、電気的な画像データに変換される。
【００５３】
原稿読取装置１００は、さらに白基準板２００を含む。白基準板２００は、板状の長尺部材であり、その長手方向が主走査方向Ｘに沿うようにして、かつその厚み方向一表面が原稿載置面に当接するようにして、主走査部２のプラテン板４に設けられる。白基準板２００は、プラテン板４の原稿載置面の予め定める位置、本実施形態ではプラテン板４の原稿載置面の副走査方向Ｙにおける一端部に設けられる。白基準板２００は、前述の図１に示す第１基準値記憶手段２１５に記憶される第１基準値を取得するために用いられる。
【００５４】
図１に戻って、画像処理部１０３は、第１画像処理部２１０および第２画像処理部２２０を含む。第１画像処理部２１０は、第１増幅器２１２、第１Ａ／Ｄ（アナログ／デジタル）変換器２１３、第１シェーディング補正手段２１４、第１基準値記憶手段２１５および第１出力値変換手段２１６を含む。第１増幅器２１２、第１Ａ／Ｄ変換器２１３、第１シェーディング補正手段２１４、第１基準値記憶手段２１５および第１出力値変換手段２１６を含む画像処理部１０３の各部の動作は、制御部１０１によって制御される。
【００５５】
第１画像読取手段１０によって読取られる原稿の原稿画像を表す画像データは、第１撮像素子１４から、その受光量に応じた電気信号（以下「読取信号」ということがある）として出力され、第１画像処理部１０３、より詳細には第１画像処理部１０３の第１増幅器２１２に与えられる。第１撮像素子１４は、原稿の原稿画像の各画素の画素値を表す信号として、その画素の受光量に応じ、その画素に対応する部分の原稿からの反射光の反射率を表す反射率信号を出力する。
【００５６】
第１画像処理部２１０によれば、第１撮像素子１４から出力されて第１増幅器２１２に与えられる読取信号は、第１増幅器２１２によって増幅され、第１Ａ／Ｄ変換器２１３によってデジタル信号に変換された後、第１シェーディング補正手段２１４に与えられる。第１撮像素子１４から出力される読取信号が、原稿の原稿画像の画像データを表す読取信号である場合、すなわち第１画像処理部２１０に与えられる画像データが原稿の原稿画像を表す画像データである場合、制御部１０１は、第１Ａ／Ｄ変換器２１３からデジタル信号として与えられる画像データをシェーディング補正するように、第１シェーディング補正手段２１４を制御する。第１シェーディング補正手段２１４は、制御部１０１からの指令に基づいて、第１Ａ／Ｄ変換器２１３から与えられる原稿画像の画像データをシェーディング補正する。
【００５７】
第１基準値記憶手段２１５には、第１シェーディング補正手段２１４によるシェーディング補正のための基準値（以下「第１基準値」という）として、第１画像読取手段１０によって読取られ、第１撮像素子１４から与えられる原稿の原稿画像の各画素に対する基準値が記憶される。第１シェーディング補正手段２１４は、第１基準値記憶手段２１５に記憶される第１基準値に基づいて、原稿の原稿画像をシェーディング補正する。
【００５８】
第１シェーディング補正手段２１４によってシェーディング補正された原稿画像は、第１出力値変換手段２１６に与えられる。第１出力値変換手段２１６は、シェーディング補正された原稿画像に対し、ガンマ補正などのその他の画像処理を実施し、処理が施された原稿画像を記憶部１０４および制御部１０１に出力する。
【００５９】
第２画像処理部２２０は、第２増幅器２２２、第２Ａ／Ｄ変換器２２３、第２シェーディング補正手段２２４、第２基準値記憶手段２２５、第２出力値変換手段２２６および切取合成手段２２７を含む。第２増幅器２２２、第２Ａ／Ｄ変換器２２３、第２シェーディング補正手段２２４、第２基準値記憶手段２２５、第２出力値変換手段２２６および切取合成手段２２７を含む第２画像処理部２２０の各部の動作は、制御部１０１によって制御される。
【００６０】
第２画像読取手段２０によって読取られる原稿の原稿画像を表す画像データは、第２撮像素子２４から、その受光量に応じた電気信号（以下「読取信号」ということがある）として出力され、第２画像処理部２０３、より詳細には第２画像処理部２０３の第２増幅器２１２に与えられる。第２撮像素子２４は、原稿の原稿画像の各画素の画素値を表す信号として、その画素の受光量に応じ、その画素に対応する部分の原稿からの反射光の反射率を表す反射率信号を出力する。
【００６１】
第２画像処理部２２０によれば、第２撮像素子２４から出力されて第２増幅器２２２に与えられる読取信号は、第２増幅器２２２によって増幅され、第２Ａ／Ｄ変換器２２３によってデジタル信号に変換された後、第２シェーディング補正手段２２４に与えられる。第２撮像素子２４から出力される読取信号が、原稿の原稿画像の画像データを表す読取信号である場合、すなわち第２画像処理部２２０に与えられる画像データが原稿の原稿画像を表す画像データである場合、制御部１０１は、第２Ａ／Ｄ変換器２２３からデジタル信号として与えられる画像データをシェーディング補正するように、第２シェーディング補正手段２２４を制御する。第２シェーディング補正手段２２４は、制御部１０１からの指令に基づいて、第２Ａ／Ｄ変換器２２３から与えられる原稿画像の画像データをシェーディング補正する。
【００６２】
第２基準値記憶手段２２５には、第２シェーディング補正手段２２４によるシェーディング補正のための基準値（以下「第２基準値」という）として、第２画像読取手段２０によって読取られ、第２撮像素子２４から与えられる原稿の原稿画像の各画素に対する基準値が記憶される。第２シェーディング補正手段２２４は、第２基準値記憶手段２２５に記憶される第２基準値に基づいて、原稿の原稿画像をシェーディング補正する。
【００６３】
第２シェーディング補正手段２２４によってシェーディング補正された原稿画像は、第２出力値変換手段２２６に与えられる。第２出力値変換手段２２６は、シェーディング補正された原稿画像に対し、ガンマ補正などのその他の画像処理を実施し、処理が施された原稿画像を記憶部１０４および制御部１０１に出力する。
【００６４】
第１および第２基準値記憶手段２１５，２２５に記憶される第１および第２基準値は、基準値記憶ステップにおいて、対応する基準値記憶手段２１５，２２５に記憶される。第１基準値に対する基準値記憶ステップ（以下「第１基準値記憶ステップ」という）は、原稿読取装置１００の製造工程における調整工程、原稿読取動作の開始前、または原稿読取動作の終了後などの適宜の時点で実施される。
【００６５】
第１基準値記憶ステップでは、前述の図４に示す基準白板２０１を用いて第１基準値が取得される。具体的には、制御部１０１が、基準白板２０１から第１基準値を取得するように、第１画像読取手段１０および第１画像処理部２１０を制御する。第１画像読取手段１０は、制御部１０１からの指令に基づいて、光源ユニット１５を基準白板２０１に対向する基準値読取位置Ｐ０、図４では基準白板２０１の下方の基準値読取位置Ｐ０に移動させて、その基準値読取位置Ｐ０において、基準白板２０１に読取用の光を照射し、その基準白板２０１からの反射光を第１撮像素子１４に結像して、基準白板２０１からの反射光量に基づく電気信号を読取信号として出力する。
【００６６】
第１撮像素子１４から出力される読取信号は、原稿の原稿画像と同様に第１画像処理部２１０の第１増幅器２１２に与えられ、第１増幅器２１２によって増幅され、第１Ａ／Ｄ変換器２１３によってデジタル信号に変換された後、第１シェーディング補正手段２２４に与えられる。
【００６７】
第１画像処理部２１０に与えられる画像データが基準白板２０１を読取って取得される原稿画像を表す画像データである場合、制御部１０１は、第１Ａ／Ｄ変換器２１３から与えられる画像データに基づいて第１基準値を算出するように、第１シェーディング補正手段２１４を制御する。第１シェーディング補正手段２１４は、制御部１０１からの指令によって、第１Ａ／Ｄ変換器２１３から与えられる画像データに基づいて、つまり基準白板２０１からの反射光量に基づいて、第１画像読取手段１０の読取可能領域Ｓ０の各画素に対する第１基準値Ａｎを算出する。符号「ｎ」は、画素番号を示す。算出された第１基準値Ａｎは、第１基準値記憶手段２１５に与えられ、第１基準値記憶手段２１５に記憶される。
【００６８】
第２基準値に対する基準値記憶ステップ（以下「第２基準値記憶ステップ」という）は、たとえば原稿読取装置１００の製造工程における調整工程で実施される。前述の第１基準値記憶ステップでは、第１画像読取手段１０の光源ユニット１５を基準白板２０１の下方の基準値読取位置Ｐ０に移動させて、基準値読取位置Ｐ０で基準白板２０１を読取らせて第１基準値を取得する。これに対し、第２基準値記憶ステップでは、基準原稿である白基準シート２０２をＡＤＦ１によって第２画像読取手段２０の読取可能領域Ｓ０に搬送して読取らせて、第２基準値を取得する。これは、第２画像読取手段２０は、第１画像読取手段１０とは異なり、移動することができないので、光源２１を基準白板２０１に対向する位置である基準値読取位置Ｐ０に移動して基準値を読取ることができないためである。
【００６９】
第２基準値記憶ステップでは、具体的には制御部１０１が、白基準シート２０２から第２基準値を取得するように、ＡＤＦ１、第２画像読取手段２０および第２画像処理部２２０を制御する。制御部１０１からの指令に基づいて、ＡＤＦ１によって白基準シート２０２が読取可能領域Ｓ０に搬送され、白基準シート２０２が第２画像読取手段２０の光源２１に対向する読取位置において、第２画像読取手段２０によって読取られる。第２画像読取手段２０は、光源２１によって白基準シート２０２に読取用の光を照射し、その反射光に基づく電気信号を読取信号として第２撮像素子２４から出力する。
【００７０】
第２撮像素子２４から出力される読取信号は、原稿の原稿画像と同様に第２画像処理部２２０の第２増幅器２２２に与えられ、第２増幅器２２２によって増幅され、第２Ａ／Ｄ変換器２２３によってデジタル信号に変換された後、第２シェーディング補正手段２２４に与えられる。
【００７１】
第２画像処理部２２０に与えられる画像データが白基準シート２０２を読取って取得される原稿画像（以下「基準原稿画像」ということがある）を表す画像データである場合、制御部１０１は、第２Ａ／Ｄ変換器２２３から与えられる画像データを切取合成手段２２７に与えるように、第２シェーディング補正手段２２４を制御する。第２シェーディング補正手段２２４は、制御部１０１からの指令に基づいて、第２Ａ／Ｄ変換器２２３から与えられる画像データを切取合成手段２２７に与える。
【００７２】
切取合成手段２２７は、詳細は後述するが、第２Ａ／Ｄ変換器２２３から与えられる画像データに基づいて、つまり白基準シート２０２からの反射光量に基づいて、第２画像読取手段２０の読取可能領域の各画素に対する第２基準値Ｂｎを求める。符号「ｎ」は、画素番号を示す。求められた第２基準値Ｂｎは、第２基準値記憶手段２２５に与えられ、第２基準値記憶手段２２５に記憶される。
【００７３】
図５は、第１シェーディング補正手段２１４または切取合成手段２２７によって取得される基準値の一例を示す図である。図５において横軸は画素番号ｎを示し、縦軸は第１基準値Ａｎまたは第２基準値Ｂｎを示す。横軸に示される画素番号０は、第１または第２撮像素子１４，２４の主走査方向Ｘにおける一端の画素に対応し、画素番号４０００は、第１または第２撮像素子１４，２４の主走査方向Ｘにおける他端の画素に対応する。縦軸に示される第１基準値Ａｎまたは第２基準値Ｂｎは、対応する撮像素子すなわち第１または第２撮像素子１４，２４が受光した光の輝度に対応し、輝度が高いほど、その画素の基準値が大きくなる。
【００７４】
白基準板２０１および白基準シート２０２は、一様な白色に形成されるが、この白基準板２０１または白基準シート２０２を読取って取得される基準値は、図５に示すように、主走査方向Ｘにおける両端間の中央の画素付近で高くなり、主走査方向Ｘにおける両端近傍の画素で低くなっている。つまり、大局的に見れば、第１または第２撮像素子１４，２４で受光される光の輝度は、主走査方向Ｘにおける両端間の中央の画素付近で高くなり、両端の画素近傍で低くなっている。
【００７５】
これは、基準白板２０１または白基準シート２０２に対して光を照射する光源１１，２１が有限の大きさを持っていることに起因して照射する光が不均一になっていること、基準白板２０１または白基準シート２０２からの反射光を対応する撮像素子１４，２４へ集光させる結像レンズ１３，２３の特性に基づいて周辺減光が生じていること、および第１または第２撮像素子１４，２４の各画素の感度にばらつきが生じていることに起因する。
【００７６】
このように読取可能領域Ｓ０の主走査方向Ｘにおける各位置では、濃度値が同じ画素であっても、その位置に応じて輝度が異なる。この輝度に対応する各画素の基準値を基準白板２０１または白基準シート２０２の読取結果から求め、この基準値に基づいて、第１および第２シェーディング補正手段２１４，２２４によって、原稿画像に対してシェーディング補正が施される。これによって各画素の主走査方向Ｘにおける位置に依存する輝度の差を取除くことができる。
【００７７】
第２シェーディング補正手段２２４によるシェーディング補正のための基準値である第２基準値Ｂｎは、本実施形態では、第２画像読取手段２０の読取可能な読取可能領域Ｓ０よりも寸法の小さい白基準シート２０２、より詳細には読取可能領域Ｓ０の主走査方向Ｘにおける寸法よりも、主走査方向Ｘにおける寸法が小さい白基準シート２０２を用いて求められる。白基準シート２０２としては、具体的には、原稿画像の出力画像を形成するときに用いられるような既存の白紙、たとえば市販の規定寸法の白紙が用いられる。白基準シート２０２として使用可能な市販の規定寸法の白紙としては、特に制限されないが、たとえばＡ４判の用紙が用いられる。
【００７８】
このような読取可能領域Ｓ０よりも寸法の小さい白基準シート２０２が、前述の第２基準値記憶ステップにおいて、第２画像読取手段２０によって読取られて第２基準値Ｂｎが求められる。第２基準値Ｂｎは、白基準シート２０２を第２画像読取手段２０によって複数回読取ることによって求められる。白基準シート２０２は、前述の図３に示すＡＤＦ１の原稿載置台５に載置され、ＡＤＦ１によって第２画像読取手段２０の読取可能領域Ｓ０に搬送されて読取られる。
【００７９】
前述の図３に示すように、原稿載置台５には、原稿の主走査方向Ｘに関する位置を規制する一対の規制部材３２，３３、すなわち第１規制部材３２および第２規制部材３３が設けられる。第１および第２規制部材３２，３３は、長方形板状であり、その厚み方向が主走査方向Ｘに沿い、長辺部が主走査方向に直交する副走査方向Ｙに沿うように配置される。第１および第２規制部材３２，３３は、主走査方向Ｘに関して異なる位置であって、副走査方向Ｙに関して略等しい位置に配置される。第１および第２規制部材３２，３３は、それぞれ主走査方向Ｘに移動可能に設けられる。
【００８０】
図６は、第２画像読取手段２０の読取可能領域Ｓ０と第１および第２規制部材３２，３３との位置関係を模式的に示す平面図である。本実施形態では、第２画像読取手段２０は、原稿からの反射光を第２撮像素子２４に結像させて読取る。本実施形態において第２撮像素子２４は、複数の画素が主走査方向Ｘに一列に配置されるＣＣＤラインセンサであるので、読取可能領域Ｓ０は、主走査方向Ｘに並ぶ複数の画素によって構成される。図６では、読取可能領域Ｓ０を右下がりの斜線で示す。
【００８１】
通常の原稿読取時、すなわち原稿の原稿画像を読取るときには、原稿載置台５の主走査方向Ｘにおける中心線２０３に対して、原稿２０４の前端、後端までの距離が均等になるように、すなわち中心線２０３から原稿２０４の主走査方向一方Ｘ１側の端までの距離と、中心線２０３から原稿２０４の主走査方向他方Ｘ２側の端までの距離とが等しくなるように、第１および第２規制部材３２，３３を位置させ、原稿２０４を載置する。
【００８２】
原稿読取装置１００では、ＡＤＦ１の原稿搬送部３１の動作のばらつきによって、原稿の斜め送り、すなわち原稿２０４が載置された位置よりも主走査方向Ｘにずれて搬送される現象が生じる場合がある。斜め送りが生じると、第２画像読取手段２０によって原稿画像が読取られるときの原稿の位置である原稿読取位置が、原稿２０４が載置された位置よりも、原稿２０４の幅方向すなわち主走査方向Ｘにずれる。
【００８３】
したがって原稿２０４の位置が多少ずれても原稿画像を読取ることができるように、第２画像読取手段２０が読取り可能な領域である読取可能領域Ｓ０の主走査方向Ｘにおける寸法ｄ０は、読取り可能な最大寸法の原稿（以下「最大原稿」という）として予め定められる原稿２０４の幅方向すなわち主走査方向Ｘにおける寸法（以下「幅方向寸法」という）ｄ１よりも大きく設定される。たとえば読取可能な最大原稿が、日本工業規格（ＪＩＳ）Ｐ０１３８に規定されるＡ４判の原稿を縦長に配置した状態の原稿である場合、原稿２０４の幅方向寸法、すなわちＡ４判原稿の長辺部の長さ寸法は２９７ｍｍであるので、読取可能領域Ｓ０の主走査方向Ｘにおける寸法ｄ０は、２９７ｍｍよりも大きい値、たとえば３０７ｍｍに設定される。
【００８４】
一対の規制部材３２，３３のうち、主走査方向一方Ｘ１側に設けられる第１規制部材３２は、第２規制部材３３に対向する表面部の主走査方向Ｘ１に関する位置が、読取可能領域Ｓ０の主走査方向一方Ｘ１側の端部と略等しい位置になる位置まで、移動可能に設けられる。主走査方向他方Ｘ２側に設けられる第２規制部材３３は、第１規制部材３２に対向する表面部の主走査方向Ｘに関する位置が、読取可能領域Ｓ０の主走査方向他方Ｘ２側の端部と略等しい位置になる位置まで、移動可能に設けられる。したがって第１および第２規制部材３２，３３が主走査方向Ｘに関して最も離隔して配置されるとき、主走査方向Ｘにおける第１規制部材３２と第２規制部材３３との間隔ｄｍａｘは、読取可能領域Ｓ０の主走査方向Ｘにおける寸法ｄ０に略等しい。
【００８５】
以下、中心線２０３から主走査方向一方Ｘ１に最も離隔した位置に配置された第１規制部材３２を参照符３２ａで示し、中心線２０３から主走査方向他方Ｘ２に最も離隔した位置に配置された第２規制部材３２を参照符３３ａで示す。
【００８６】
図７および図８は、第２画像読取手段２０の読取可能領域Ｓ０と白基準シート２０２との位置関係を模式的に示す平面図である。図７および図８では、図６と同様に、読取可能領域Ｓ０を右下がりの斜線で示す。本実施形態において白基準シート２０２は、矩形のシート状、より詳細には長方形シート状である。図７および図８に示すように、白基準シート２０２は、その一辺部が第１規制部材３２または第２規制部材３３に沿うように原稿載置台５に載置される。白基準シート２０２は、長辺部および短辺部のいずれの辺部が規制部材３２，３３に沿うように配置されてもよいが、本実施形態では短辺部が第１規制部材３２または第２規制部材３３に沿うように配置される。つまり本実施形態では、白基準シート２０２は、長辺部に沿う長手方向である幅方向が、主走査方向Ｘに沿うように配置される。
【００８７】
白基準シート２０２が原稿載置台５に載置される場合、第１および第２規制部材３２，３３は、主走査方向一方Ｘ１および他方Ｘ２に最も離隔して配置される。したがって白基準シート２０２として市販の規定寸法の用紙が用いられる場合には、その寸法の原稿を読取る場合に比べて、第１規制部材３２は主走査方向一方Ｘ１側に配置され、第２規制部材３３は主走査方向他方Ｘ２側に配置される。第１および第２規制部材３２，３３の位置の変更は、たとえば作業者によって実施される。
【００８８】
第２画像読取手段２０による白基準シート２０２の読取回数は、図６に示す原稿載置台５に載置した状態での白基準シート２０２の主走査方向Ｘにおける寸法ｄ１、および読取可能領域Ｓ０の主走査方向Ｘにおける寸法ｄ０に応じて選ばれる。たとえば白基準シート２０２として、一辺部の寸法が、読取可能領域Ｓ０の主走査方向Ｘにおける寸法ｄ０の２分の１（１／２）以上である白基準シート２０２が用いられ、この白基準シート２０２の前記一辺部が主走査方向Ｘに沿って配置される場合、白基準シート２０２の読取回数は、２回に選ばれる。
【００８９】
この場合、図７に示すように、最初の手順として第１規制部材３２が通常の位置すなわち白基準シート２０２と同じ幅方向寸法の原稿を読取るときの位置から、更に前方すなわち主走査方向一方Ｘ１に移動され、中心線２０３から主走査方向一方Ｘ１に最も離隔した位置に配置される。このように配置される第１規制部材３２ａに白基準シート２０２が寄せて載置される。このように載置して白基準シート２０２を搬送させて第２画像読取手段２０によって読取を行なうことによって、読取可能領域Ｓ０の前方寄りの領域、すなわち主走査方向一方Ｘ１側の端部を含む領域Ｓ１の画素の画素値（以下「一方側画素値」ということがある）が得られる。
【００９０】
次の手順として、図８に示すように、第２規制部材３３が通常の位置すなわち白基準シート２０２と同じ幅方向寸法の原稿を読取るときの位置から、更に後方すなわち主走査方向他方Ｘ２に移動され、中心線２０３から主走査方向他方Ｘ２に最も離隔した位置に配置される。このように配置される第２規制部材３３ａに白基準シート２０２が寄せて載置される。このように載置して白基準シート２０２を搬送させて第２画像読取手段２０によって読取を行なうことによって、読取可能領域Ｓ０の後方寄りの領域、すなわち主走査方向他方Ｘ２側の端部を含む領域Ｓ２の画素の画素値（以下「他方側画素値」ということがある）が得られる。
【００９１】
図９〜図１１を参照して、さらに具体的に述べる。図９は、原稿読取装置１００を原稿載置台５側から見た状態を簡略化して示す平面図である。図１０および図１１は、原稿載置台５に白基準シート２０２を載置した状態を原稿載置台５側から見て示す平面図である。図９〜図１１では、第１および第２規制部材３２，３３を左下がりの斜線で示す。図９に示すように、第１および第２規制部材３２，３３が主走査方向Ｘに関して最も離隔して配置されるとき、主走査方向Ｘにおける第１規制部材３２と第２規制部材３３との間隔ｄｍａｘは、読取可能領域Ｓ０の主走査方向Ｘにおける寸法ｄ０に略等しい。
【００９２】
読取可能領域Ｓ０の主走査方向Ｘにおける寸法ｄ０が、Ａ４サイズの用紙の長辺部の寸法の２倍未満である場合に、Ａ４サイズの用紙が白基準シート２０２として用いられ、その長辺部が主走査方向Ｘに沿うように配置される場合、白基準シート２０２の読取回数は２回に選ばれる。この場合、作業者は、最初の手順として図１０に示すように、第１規制部材３２を、Ａ４サイズの原稿の原稿画像を読取るときの位置から更に主走査方向一方Ｘ１に移動させて、白基準シート２０２を原稿載置台５に載置して、第２画像読取手段２０に１回目の読取を行なわせる。次の手順として、図１１に示すように、第２規制部材３３を、Ａ４サイズの原稿の原稿画像を読取るときの位置から更に主走査方向他方Ｘ２に移動させて、白基準シート２０２を原稿載置台５に載置して、第２画像読取手段２０に２回目の読取を行なわせる。
【００９３】
白基準シート２０２に対する複数回の読取りは、１つの白基準シート２０２を複数回繰返し読取ることによって行なわれてもよく、複数の白基準シート２０２を読取ることによって行なわれてもよい。
【００９４】
複数の白基準シート２０２を用いる場合、作業者は、複数の白基準シート２０２を重ねて原稿載置台５に載置するようにしてもよい。この場合、複数の白基準シート２０２は、主走査方向Ｘに関して、互いに異なる位置に配置される。たとえば前述のようにＡ４サイズの白基準シート２０２を２枚用いて読取りを行なう場合、上から１枚目の白基準シート２０２は主走査方向一方Ｘ１寄りに載置、すなわち第１規制部材３２に沿うように載置され、上から２枚目の白基準シート２０２は主走査方向他方Ｘ２寄りに載置、すなわち第２規制部材３３に沿うように載置される。
【００９５】
本実施形態においてＡＤＦ１は、複数の原稿を連続して第２画像読取手段２０に搬送可能に構成され、制御部１０１によってＡＤＦ１を制御することによって連続給送を実施することができるので、前述のように複数の白基準シート２０２を重ねて原稿載置台５に載置することで、複数の白基準シート２０２を読取可能領域Ｓ０に連続して搬送することができる。したがって白基準シート２０２を原稿載置台５に載置する作業が１回で済み、効率的である。
【００９６】
以上のようにして白基準シート２０２を第２画像読取手段２０によって複数回読取ることによって、基準原稿画像が読取られ、読取可能領域Ｓ０内の全ての画素の画素値が取得される。基準原稿画像を表す画像データは、前述の図１に示す第２画像読取手段２０の第２撮像素子２４から、画像処理部１０３の第２画像処理部２２０に与えられる。本実施形態では、白基準シート２０２を２回読取ることによって読取可能領域Ｓ０内の全ての画素の画素値を取得する。この２回の読取りによって取得される基準原稿画像を表す画像データ、すなわち一方側基準値Ｂ１および他方側基準値Ｂ２は、第２画像処理部１０３に与えられる。
【００９７】
第２画像処理部１０３は、アナログ信号として与えられる基準原稿画像の画像データを第２増幅器２２２によって増幅して、第２Ａ／Ｄ変換器２２３によってデジタル信号に変換した後、第２シェーディング補正手段２２４に与える。第２シェーディング補正手段２２４は、制御部１０１からの指令に基づいて、第２Ａ／Ｄ変換器２２３から与えられる基準原稿画像の画像データ、すなわち一方側基準値Ｂ１および他方側基準値Ｂ２を切取合成手段２２７に与える。
【００９８】
切取合成手段２２７は、切取範囲設定手段２２８と、切取手段２２９とを含む。切取手段２２８は、白基準シート２０２を第２原稿読取手段２０によって複数回読取って取得される画素値のうち、各回毎に予め定められる複数の基準値取得範囲に含まれる画素の画素値を、第２基準値記憶手段２２５に与える。読取可能領域Ｓ０は、複数の基準値取得範囲によって分割される。すなわち複数の基準値取得範囲は、読取可能領域Ｓ０を構成し、複数の基準値取得範囲の全ての画素を足し合わせたものが、読取可能領域Ｓ０の全ての画素になる。
【００９９】
本実施形態では、切取手段２２９は、１回目の読取りで得た基準原稿画像の画像データすなわち一方側画素値から、予め定められる基準値取得範囲に含まれる画素を主走査方向一方Ｘ１側の基準値（以下「一方側基準値」という）Ｂ１として切取って、第２基準値記憶手段２１５に与え、記憶させる。さらに切取手段２２９は、２回目の読取りで得た基準原稿画像の画像データすなわち後方側画素値から、予め定められる基準値取得範囲に含まれる画素を主走査方向他方Ｘ２側の基準値（以下「他方側基準値」という）Ｂ２として切取って、第２基準値記憶手段２１５に与え、記憶させる。本実施形態では、切取手段２２９は、一方側画素値から、前半の画素すなわち読取可能領域Ｓ０の主走査方向Ｘにおける両端間の中央から主走査方向一方Ｘ１側の画素の画素値を一方側基準値Ｂ１として切取り、他方側画素値から、後半の画素すなわち読取可能領域Ｓ０の主走査方向Ｘにおける両端間の中央から主走査方向他方Ｘ２側の画素を他方側基準値Ｂ２として切取る。
【０１００】
切取手段２２９の切取る範囲である基準値取得範囲は、切取範囲設定手段２２８によって、切取手段２２９に対して設定される。切取範囲設定手段２２８は、切取手段２２９にスタートパルスとエンドパルスとを与えることによって、基準値取得範囲を設定する。本実施形態では、一方側基準値Ｂ１を切取るための基準値取得範囲として、第１の基準値取得範囲Ｗ１が設定され、他方側基準値Ｂ２を切取るための基準値取得範囲として、第２の基準値取得範囲Ｗ２が設定される。
【０１０１】
図１２および図１３は、切取手段２２９への画素データの出力タイミングと、切取範囲設定手段２２８から切取手段２２９へのパルスの入力タイミングと、第２基準値記憶手段２２５への画像データの出力タイミングとの関係を説明するための図である。図１２では、一方側基準値Ｂ１を切取る場合を示し、図１３では、他方側基準値Ｂ２を切取る場合を示す。図１２（ａ）および図１３（ａ）は、第２シェーディング補正手段２２４から切取手段２２９に出力される信号の時間経過を示し、図１２（ｂ）および図１３（ｂ）は、切取設定手段２２８から切取手段２２９に出力されるパルスの時間経過を示し、図１２（ｃ）および図１３（ｃ）は、切取手段２２９から第２基準値記憶手段２２５に出力される信号の時間経過を示す。
【０１０２】
切取手段２２９は、切取範囲設定手段２２８からスタートパルス２３０が入力されると、第２基準値記憶手段２２５への基準値の転送、すなわち記憶処理を開始し、切取範囲設定手段２２８からエンドパルス２３１が入力されると、第２基準値記憶手段２２５への基準値の転送、すなわち記憶処理を終了する。
【０１０３】
スタートパルス２３０およびエンドパルス２３１の出力タイミングは、基準値取得範囲である切取範囲として、切取範囲設定手段２２８に与えられる先端調整量Ｖ１および画像長さ調整量Ｖ２で決定される。先端調整量Ｖ１および画像長さ調整量Ｖ２は、制御部１０１から切取範囲設定手段２２８に与えられる。
【０１０４】
先端調整量Ｖ１は、第２シェーディング補正手段２２４から出力される基準原稿画像の画像データを表す信号の先頭出力２３２からの画素数を決定する。第２画像読取手段２０は、前述の図７に示すように読取可能領域Ｓ０の一部分に読取るべき白基準シート２０２が存在しない場合であっても、読取可能領域Ｓ０の全画素の読取信号を出力するので、先頭出力２３２は、第２画像読取手段２０の読取可能領域Ｓ０の全画素のうちで、最初に出力される画素の出力である。切取手段２２９に先頭出力２３２が入力されると、先頭出力２３２が入力されたことを示す信号が制御部１０１から切取設定手段２２８に入力される。切取範囲設定手段２２８は、制御部１０１から先頭出力２３２が入力されたことを示す信号を受けると、先端調整量Ｖ１分の画素数をカウントして、以降の画素を切取るべく、切取手段２２９にスタートパルス２３０を出力する。
【０１０５】
画像長さ調整量Ｖ２は、先端調整量Ｖ１以降の画素数を決定する。切取範囲設定手段２２８は、スタートパルス２３０から画像長さ調整量Ｖ２分の画素数をカウントして、切取手段２２９にエンドパルス２３１を出力する。
【０１０６】
このように切取範囲設定手段２２８から先端調整量Ｖ１および画像長さ調整量Ｖ２に応じて、スタートパルス２３０およびエンドパルス２３１が切取手段２２９に出力されることによって、切取手段２２９は、画像長さ調整量Ｖ２で決定される画素数を切取り、その画素分の画像データを第２基準値記憶手段２２５に出力する。本実施形態では、第１の基準値取得範囲Ｗ１に含まれる画素の画素値が一方側基準値Ｂ１として第２基準値記憶手段２２５に与えられ、第２の基準値取得範囲Ｗ２に含まれる画素の画素値が他方側基準値Ｂ２として第２基準値記憶手段２２５に与えられる。これによって一方側基準値Ｂ１および他方側基準値Ｂ２が合成されて、第２基準値Ｂとして第２基準値記憶手段２２５に記憶される。
【０１０７】
切取範囲設定手段２２８は、１回目の読取時と２回目の読取時とで、それぞれ異なる先端調整量Ｖ１と画像長さ調整量Ｖ２とを切取手段２２９に対して設定する。具体的に述べると、図１２に示すように１回目の読取りによって得られる画像データから一方側基準値Ｂ１を切取る場合、切取範囲設定手段２２８は、画像長さ調整量Ｖ２として、読取可能領域Ｓ０を構成する画素数の２分の１の画素数を設定する。この場合の先端調整量Ｖ１は、たとえば１０画素に選ばれる。この先端調整量Ｖ１分の画素は、第２撮像素子２４であるＣＣＤラインセンサからの出力信号が乱れた部分であるので、その画素の分を取除く。
【０１０８】
図１３に示すように２回目の読取りによって得られる画像データから他方側基準値Ｂ２を切取る場合、切取範囲設定手段２２８は、他方側基準値Ｂ２の基準値取得範囲Ｗ２を決定する先端調整量Ｖ１’として、一方側基準値Ｂ１の基準値取得範囲Ｗ１を決定する先端調整量Ｖ１と、一方側基準値Ｂ１の基準値取得範囲Ｗ１を決定する画像長さ調整量Ｖ２とを合わせた画素数を設定する。切取範囲設定手段２２８は、他方側基準値Ｂ２の基準値取得範囲Ｗ２を決定する画像長さ調整量Ｖ２’として、読取可能領域Ｓ０を構成する画素数の２分の１の画素数を設定する。画像長さ調整量Ｖ２’に含まれる画素の後に第２シェーディング補正手段２２４から入力される画素は、第２撮像素子２４であるＣＣＤラインセンサからの出力信号が乱れた部分であるので、その画素の分を取除く。
【０１０９】
図１４は、切取合成手段２２７による基準値の合成の仕方を説明するための図である。図１４（ａ）は、１回目の読取りによって取得される画素値を示し、図１４（ｂ）は、２回目の読取りによって取得される画素値を示し、図１４（ｃ）は、一方側基準値Ｂ１と他方側基準値Ｂ２とを合成した基準値を示す。前述のようにして、切取手段２２９によって図１４（ａ）に示す１回目の読取りで得られた画像データから、一方側基準値Ｂ１を切取り、図１４（ｂ）に示す２回目の読取りで得られた画像データから、他方側基準値Ｂ２を切取って合成することによって、図１４（ｃ）に示すように、読取可能領域Ｓ０内の全ての画素の第２基準値Ｂが得られる。このように切取合成手段２２７は、本実施形態では、２回の読取によって半分ずつ基準値を得て、最終的な第２基準値Ｂを完成させる。
【０１１０】
このようにして切取合成手段２２７は、白基準シート２０２を第２原稿読取手段２０によって複数回読取って取得される画素値のうち、各回毎に予め定められ、読取可能領域Ｓ０全体を分割する複数の基準値取得範囲Ｗ１，Ｗ２に含まれる画素の画素値を、その画素の基準値としてそれぞれ取得し、取得した各画素の基準値を読取可能領域Ｓ０全体にわたって合成して、読取可能領域Ｓ０内の全ての画素の基準値を求める。
【０１１１】
図１５は、第２基準値記憶ステップにおける制御部１０１の基準値取得動作の処理手順を示すフローチャートである。この図１５を参照して、画像処理方法をも説明する。基準値取得動作は、制御部１０１によって実行される。操作者によって白基準シート２０２が原稿載置台５に載置され、操作パネル部１０６から第２基準値記憶ステップの開始指令が入力されると、基準値取得動作が開始され、ステップｓ２に進む。
【０１１２】
ステップｓ１では、制御部１０１は、第１規制部材３２に規制された状態で載置される白基準シート２０２の搬送を開始するように、ＡＦＤ１を制御する。ＡＤＦ１は、制御部１０１からの指令に基づいて、白基準シート２０２の読取可能領域Ｓ０への搬送を開始する。このようにして白基準シート２０２の搬送が開始されると、ステップｓ３に進む。
【０１１３】
ステップｓ３では、制御部１０１は、白基準シート２０２を読取って、第２基準値Ｂ、本実施形態では一方側基準値を取得するように、第２画像読取手段２０および第２画像処理部２２０を制御する。第２画像読取手段２０は、制御部１０１からの指令に基づいて、白基準シート２０２が第２画像読取手段２０の光源２１に対向する読取位置において、白基準シート２０２を読取り、読取った基準原稿画像を第２画像処理部２２０に与える。本実施形態では、第２画像読取手段２０は、白基準シート２０２を副走査方向Ｙに関する複数の位置で読取り、読取った各画素の画素値の平均値を、基準原稿画像の各画素の画素値として第２画像処理部２２０に与える。
【０１１４】
第２画像処理部２２０は、制御部１０１からの指令に基づいて、第２画像読取手段２０から与えられる基準原稿画像データから、一方側基準値Ｂ１を切取り、第２基準値記憶手段２２５に与え、記憶させる。このようにして白基準シート２０２が読取られると、ステップｓ４に進む。
【０１１５】
ステップｓ４では、制御部１０１は、第２規制部材３３に規制された状態で載置される白基準シート２０２の搬送を開始するように、ＡＦＤ１を制御する。ＡＤＦ１は、制御部１０１からの指令に基づいて、白基準シート２０２の読取可能領域Ｓ０への搬送を開始する。このようにして白基準シート２０２の搬送が開始されると、ステップｓ５に進む。
【０１１６】
ステップｓ５では、制御部１０１は、白基準シート２０２を読取って、第２基準値Ｂ、本実施形態では他方側基準値を取得するように、第２画像読取手段２０および第２画像処理部２２０を制御する。第２画像読取手段２０は、制御部１０１からの指令に基づいて、白基準シート２０２が第２画像読取手段２０の光源２１に対向する読取位置において、白基準シート２０２を読取り、読取った基準原稿画像を第２画像処理部２２０に与える。第２画像処理部２２０は、制御部１０１からの指令に基づいて、第２画像読取手段２０から与えられる基準原稿画像データから、他方側基準値Ｂ２を切取り、第２基準値記憶手段２２５に与え、記憶させる。これによって読取可能領域Ｓ０内の全ての画素の第２基準値Ｂが取得され、第２基準値記憶手段２２５に記憶される。このようにして読取可能領域Ｓ０内の全ての画素の第２基準値Ｂが第２基準値記憶手段２２５に記憶されると、ステップｓ６に進み、基準値取得動作を終了する。
【０１１７】
以上のように本実施形態によれば、第２画像処理部２２０は、読取可能領域Ｓ０よりも寸法の小さい白基準シート２０２を第２原稿読取手段２０によって複数回読取って取得される読取可能領域Ｓ０内の全ての画素の画素値に基づいて、読取可能領域Ｓ０内の全ての画素の第２基準値Ｂを求めるので、読取可能領域Ｓ０の寸法と同じか、それよりも大きい寸法の白基準シート２０２を用いなくても、読取可能領域Ｓ０内の全ての画素の第２基準値Ｂを求めることができる。したがって、たとえば原稿画像の出力画像を形成するときに用いられるような市販の規定寸法の紙を白基準シート２０２として用いて、読取可能領域Ｓ０内の全ての画素の第２基準値Ｂを求めることができるので、汚れが無い、または汚れが可及的に少なく、第２基準値Ｂの取得に適した状態の白基準シート２０２を用いて、第２基準値Ｂを求めることができる。このようにして求められる第２基準値Ｂに基づいて第２画像処理部２２０の第２シェーディング補正手段２２４が原稿画像を補正するので、原稿画像を精度良く補正することができる。
【０１１８】
また本実施形態では、第２基準値Ｂは、第２画像処理部２２０の切取合成手段２２７によって、白基準シート２０２を第２原稿読取手段２０で複数回読取って取得される画素値のうち、各回毎に予め定められ、読取可能領域Ｓ０全体を分割する複数の基準値取得範囲Ｗ１，Ｗ２に含まれる画素の画素値を、その画素の第２基準値Ｂとしてそれぞれ取得し、読取可能領域Ｓ０全体にわたって合成することによって求められる。したがって、簡単な構成で、読取可能領域Ｓ０内の全ての画素の第２基準値Ｂを求めることができる。
【０１１９】
また本実施形態では、主走査方向Ｘに並ぶ複数の画素によって構成される読取可能領域Ｓ０において、原稿搬送部３１によって主走査方向Ｘに直交する副走査方向Ｙに搬送される原稿の原稿画像が、原稿読取部である第２画像読取手段２０によって読取られる。原稿として、読取可能領域Ｓ０よりも寸法の小さい基準原稿、すなわち主走査方向Ｘにおける寸法が、読取可能領域Ｓ０の主走査方向Ｘにおける寸法よりも小さい基準原稿である白基準シート２０２を、読取可能領域Ｓ０において原稿搬送部３１によって副走査方向Ｙに搬送して、第２画像読取手段２０によって複数回読取ることによって、読取可能領域Ｓ０内の全ての画素の画素値が取得され、この画素値に基づいて、第２画像処理部２２０によって読取可能領域Ｓ０内の全ての画素の基準値が求められる。したがって読取可能領域Ｓ０の主走査方向Ｘにおける寸法と同じか、それよりも大きい寸法の白基準シート２０２を用いなくても、読取可能領域Ｓ０内の全ての画素の基準値を求めることのできる原稿読取装置１００が実現される。
【０１２０】
また本実施形態では、原稿は、原稿搬送部３１の一対の規制部材３２，３３によって、読取可能領域Ｓ０における主走査方向Ｘに関する位置が規制されて、読取可能領域Ｓ０に搬送される。この一対の規制部材３１，３２は、読取可能領域Ｓ０における原稿の主走査方向Ｘに関する位置を、読取可能領域Ｓ０の主走査方向Ｘ全体にわたって変位可能に規制する。
【０１２１】
したがって白基準シート２０２を第２画像読取手段２０によって複数回読取るときに、読取可能領域Ｓ０における白基準シート２０２の主走査方向Ｘに関する位置を主走査方向Ｘ全体にわたって変位させることができるので、読取可能領域Ｓ０の主走査方向Ｘ全体にわたって各画素の画素値を求めることができる。これによって読取可能領域Ｓ０の主走査方向Ｘ全体にわたって各画素の基準値を求めることのできる原稿読取装置１００が実現される。
【０１２２】
また本実施形態では、作業者は、複数の白基準シート２０２を一度に原稿搬送部３１に供給することによって、複数の白基準シート２０２を連続して読取可能領域Ｓ０に搬送させることができるので、複数の白基準シート２０２を別々に原稿搬送部３１に供給する場合に比べて、作業者の作業の手間を省くことができる。
【０１２３】
また複数の白基準シート２０２が連続して読取可能領域Ｓ０に搬送されることによって、複数の白基準シート２０２が第２画像読取手段２０によって連続して読取られて、白基準シート２０２が複数回連続して読取られることになるので、白基準シート２０２が連続して搬送されない場合に比べて、読取可能領域Ｓ０内の全ての画素の画素値を取得するのに要する時間を短縮することができる。これによって、読取可能領域Ｓ０の寸法と同じか、それよりも大きい寸法の１つの白基準シート２０２を読取って読取可能領域Ｓ０内の全ての画素の画素値を基準値として取得する場合に比べて、読取可能領域Ｓ０内の全ての画素の基準値の取得に要する時間が過度に長くなることを防ぐことができる。したがって基準値の取得に要する時間を過度に長くすることなく、主走査方向Ｘにおける寸法が読取可能領域Ｓ０の主走査方向Ｘにおける寸法よりも小さい白基準シート２０２を用いて、読取可能領域Ｓ０内の全ての画素の基準値を求めることができる。
【０１２４】
以上の本実施形態では、第１および第２画像読取手段１０，２０は、光学縮小方式の画像読取手段であるが、これに限定されず、たとえば原稿の原稿画像を等倍で読取る等倍光学系の画像読取手段であってもよい。この場合、第１および第２撮像素子１４，２４は、たとえば密着イメージセンサ（Contact Image Sensor；略称ＣＩＳ）によって実現され、第１および第２画像読取手段１０，２０は、たとえば発光ダイオードアレイなどの光源と、ロッドレンズなどのレンズと、ＣＩＳとを含んで構成される。
【０１２５】
図１６は、本発明の第２実施形態の原稿読取装置３００の電気的構成を示すブロック図である。本実施形態の原稿読取装置３００において、第１実施形態の原稿読取装置１００における切取合成手段２２７を除くその他の構成は同様であるので、同様の構成には同一の参照符号を付し、説明を省略する。
【０１２６】
本実施形態において原稿読取装置３００の第２画像処理部３２０は、切取合成手段２２７に代えて、補正合成手段３０１を備える。補正合成手段３０１は、切換手段３０２と、第１の一時記憶手段３０３と、第２の一時記憶手段３０４と、合成処理手段３０５とを含む。
【０１２７】
補正合成手段３０１は、前述の第１実施形態と同様にして白基準シート２０２の複数回、具体的には２回の読取りによって取得される読取可能領域Ｓ０内の全ての画素の画素値から、１回目に得られる第２基準値（以下「前方基準値」という）Ｃ１、すなわち１回目の読取りで取得される各画素の画素値である一方側画素値Ｃ１と、２回目に得られる第２基準値（以下「後方基準値」という）Ｂ２、すなわち２回目の読取りで取得される各画素の画素値である他方側画素値Ｃ２との差分値Δを求め、差分値Δに基づいて１回目または２回目の読取りで取得される基準値Ｂ２を補正した上で、基準値の合成を行う。
【０１２８】
図１７は、補正合成手段３０１による基準値の合成の仕方を説明するための図である。さらに具体的に述べると、補正合成手段３０１は、図１７（ａ）に示す前方基準値Ｃ１および図１７（ｂ）に示す後方基準値Ｃ２を受信し、図１７（ｃ）に示す前方基準値Ｃ１と後方基準値Ｃ２との差分値Δを求め、差分値Δに基づいて、前方基準値Ｃ１または後方基準値Ｃ２、本実施形態では後方基準値Ｃ２を補正し、この２つを合成して、図１７（ｄ）に示す第２基準値Ｂを完成させる。
【０１２９】
より詳細には、補正合成手段３０１は、１回目の読取りで得た基準値の前方寄りの出力、すなわち前方基準値Ｃ１を、切換手段３０２によって第１の一時記憶手段３０３に送信し、記憶させる。さらに補正合成手段３０１は、２回目の読取りで得た後方寄りの出力、すなわち後方基準値Ｃ２を切換手段３０２によって第２の一時記憶手段に送信し、記憶させる。
【０１３０】
図１８は、第２基準値記憶ステップにおける制御部１０１の基準値取得動作の処理手順を示すフローチャートである。この図１８を参照して、画像処理方法をも説明する。基準値取得動作は、制御部１０１によって実行される。操作者によって白基準シート２０２が原稿載置台５に載置され、操作パネル部１０６から第２基準値記憶ステップの開始指令が入力されると、基準値取得動作が開始され、ステップｓ１２に進む。
【０１３１】
ステップｓ１２では、制御部１０１は、第１規制部材３２に規制された状態で載置される白基準シート２０２の搬送を開始するように、ＡＦＤ１を制御する。ＡＤＦ１は、制御部１０１からの指令に基づいて、白基準シート２０２の読取可能領域Ｓ０への搬送を開始する。このようにして白基準シート２０２の搬送が開始されると、ステップｓ１３に進む。
【０１３２】
ステップｓ１３では、制御部１０１は、前述の図１５に示す第１実施形態のステップｓ３と同様に、白基準シート２０２を読取って、第２基準値Ｂを取得するように、本実施形態では前方基準値Ｃ１を取得するように、第２画像読取手段２０および第２画像処理部２２０を制御する。第２画像読取手段２０は、制御部１０１からの指令に基づいて、白基準シート２０２が第２画像読取手段２０の光源２１に対向する読取位置において、白基準シート２０２を読取り、読取った基準原稿画像を第２画像処理部２２０に与える。
【０１３３】
第２画像処理部２２０は、制御部１０１からの指令に基づいて、第２画像読取手段２０から与えられる基準原稿画像データを、第１の一時記憶手段３０３に与え、記憶させる。このようにして白基準シート２０２が読取られると、ステップｓ１４に進む。
【０１３４】
ステップｓ１４では、制御部１０１は、第２規制部材３３に規制された状態で載置される白基準シート２０２の搬送を開始するように、ＡＦＤ１を制御する。ＡＤＦ１は、制御部１０１からの指令に基づいて、白基準シート２０２の読取可能領域Ｓ０への搬送を開始する。このようにして白基準シート２０２の搬送が開始されると、ステップｓ１５に進む。
【０１３５】
ステップｓ１５では、制御部１０１は、第１実施形態のステップｓ５と同様に、白基準シート２０２を読取って、第２基準値Ｂを取得するように、本実施形態では後方基準値Ｃ２を取得するように、第２画像読取手段２０および第２画像処理部２２０を制御する。第２画像読取手段２０は、制御部１０１からの指令に基づいて、白基準シート２０２が第２画像読取手段２０の光源２１に対向する読取位置において、白基準シート２０２を読取り、読取った基準原稿画像を第２画像処理部２２０に与える。第２画像処理部２２０は、制御部１０１からの指令に基づいて、第２画像読取手段２０から与えられる基準原稿画像データを第２の一時記憶手段３０４に与え、記憶させる。このようにして記憶されると、ステップｓ１６に進む。
【０１３６】
ステップｓ１６では、制御部１０１は、重複領域Ｔにおける各画素ｎにおける基準値の差分値Δ（ｎ）を計算するように、合成処理手段３０５を制御する。合成処理手段３０５は、制御部１０１からの指令に基づいて、重複領域Ｔにおける各画素ｎにおける基準値の差分値Δ（ｎ）を計算する。「重複領域」とは、１回目と２回目とで、白基準シート２０２が重複して読取られる領域のことである。
【０１３７】
１回目の読取と２回目の読取とでは、ランプの光量がわずかに変化するなど、全く同一の読み取り条件にならない可能性があるので、これを補正するための差分値の計算を、合成処理手段３０５によって行う。画素番号ｎにおける差分値Δ（ｎ）は、下記式に基づいて、画素番号ｎにおける前方基準値Ｃ１の値Ｃ１ｎと、画素番号ｎにおける後方基準値Ｃ２の値Ｃ２ｎとから求めることができる。このようにして差分値を求めると、ステップｓ１７に進む。
Δ（ｎ）＝前方基準値Ｃ１ｎ−後方基準値Ｃ２ｎ
【０１３８】
ステップｓ１７では、制御部１０１は、後方基準値Ｃ２ｎに差分値Δの平均値Δｎを加算するように、合成処理手段３０５を制御する。合成処理手段３０５は、制御部１０１からの指令に基づいて、差分値Δの平均値Δｎを算出し、後方基準値Ｃ２ｎに差分値Δの平均値Δｎを加算して、補正後の後方基準値Ｂ２を得る。差分値Δの平均値Δｎは、全ての画素の差分値Δ（ｎ）の平均値、または一部の画素の差分値Δ（ｎ）の平均値である。本実施形態では、差分値Δの平均値Δｎとして、一部の画素の差分値Δ（ｎ）の平均値が用いられる。これによって計算量を抑え、演算に要する時間を短縮することができる。
【０１３９】
ステップｓ１８では、制御部１０１は、前方基準値Ｃ１と、補正後の後方基準値Ｃ２αとを合成するように、合成処理手段３０５を制御する。合成処理手段３０５は、前方基準値Ｃ１と、補正後の後方基準値Ｃ２αとを合成して、最終的な第２基準値Ｂを得る。具体的には、重複していない領域すなわち読取可能領域の重複領域Ｔ外の領域については、前方側の領域は前方基準値Ｃ１を採用し、後方側の領域は後方基準値Ｃ２を採用する。重複領域Ｔについては、本実施形態では前方基準値Ｃ１を採用するが、後方基準値Ｃ２を採用してもよい。
【０１４０】
このようにして得られた第２基準値Ｂは第２基準値記憶手段２２５に与えられ、記憶される。これによって読取可能領域Ｓ０内の全ての画素の第２基準値Ｂが取得され、第２基準値記憶手段２２５に記憶される。このようにして読取可能領域Ｓ０内の全ての画素の第２基準値Ｂが第２基準値記憶手段２２５に記憶されると、ステップｓ１９に進み、基準値取得動作を終了する。
【０１４１】
以上のように本実施形態によれば、第２画像処理部３２０の補正合成手段３０１によって、重複領域Ｔの各画素に対する複数の画素値に基づいて、読取可能領域Ｓ０の各画素の画素値を補正するための補正量が求められ、前記補正量に基づいて、読取可能領域の各画素の画素値が補正されて、その画素の基準値として取得され、取得された各画素の基準値が読取可能領域全体にわたって合成されることによって、読取可能領域内の全ての画素の基準値が求められる。
【０１４２】
読取可能領域内の全ての画素の画素値は、白基準シート２０２が複数回読取られることによって複数回に分けて取得されるが、前述のように重複領域Ｔの各画素に対する複数の画素値に基づいて求められる補正量に基づいて補正合成手段３０１によって補正されて、各画素の基準値として取得されるので、読取可能領域内の全ての画素の画素値が複数回に分けて取得されることによる影響を抑えることができる。
【０１４３】
たとえば基準原稿を複数回にわたって読取るときに原稿読取部による読取条件が変化した場合であっても、読取条件の変化による影響を抑えることができる。したがって、読取可能領域の寸法と同じか、それよりも大きい寸法の基準原稿を１回読取ることによって読取可能領域内の全ての画素の画素値を基準値として取得する場合と同様に、一定の条件で読取可能領域内の全ての画素の基準値を求めることができる。このように一定の条件で求められる基準値に基づいて、原稿画像が補正されるので、その原稿画像内における画質の変化を抑えることができる。
【０１４４】
また本実施形態では、補正合成手段によって、重複領域の各画素に対する複数の画素値のうちの１つの画素値と残余の画素値との差分値が補正量として求められ、この補正量に基づいて、読取可能領域の重複領域外の領域で前記残余の画素値とともに取得される各画素の画素値が補正される。したがって、取可能領域内の全ての画素の画素値が複数回に分けて取得されることによる影響を抑えて、読取可能領域の全ての画素の基準値を一定の条件で求めることのできる原稿読取装置を、簡単な構成で実現することができる。
【０１４５】
以上の本実施形態では、制御部１０１と別個に、合成処理手段３０５を備えるが、合成処理手段３０５として、制御部１０１を用いてもよい。
【０１４６】
図１９は、図１に示す第１の実施形態の原稿読取装置１００を備える画像形成装置５０を示す断面図である。画像形成装置５０は、大略的に、前述の第１の実施形態の原稿読取装置１００と、画像形成部６０と、給紙部８０と、排紙部９０と、下部筐体７２とを含んで構成される。下部筐体７２は、画像形成手段である画像形成部６０と、給紙部８０の一部と、排紙部９０の一部とを収容する。原稿読取装置１００は、下部筐体７２の鉛直上方に配設される。排紙部９０は、鉛直方向における原稿読取装置１００と給紙部８０との中間部に設けられる。
【０１４７】
画像形成部６０は、軸線まわりに回転可能に設けられる像担持体である感光体５１と、帯電手段である帯電ユニット６１と、露光手段であるレーザスキャナユニット６２と、現像手段である現像装置５２と、転写手段である転写ユニット６３と、定着手段である定着装置６４と、クリーニング手段であるクリーニングユニット６５と、除電手段である除電装置６６とを含む。帯電ユニット６１、レーザスキャナユニット６２、現像装置５２、転写ユニット６３、クリーニングユニット６５および除電装置６６は、この順に感光体５１の周囲に感光体５１の回転方向上流側から下流側に向かって配置される。本実施形態において感光体５１は円柱状である。感光体５１の形状は円柱状に限定されるものではなく、たとえば円筒状であってもよい。
【０１４８】
帯電ユニット６１は、感光体５１の外周面部を帯電させる。レーザスキャナユニット６２は、帯電された感光体５１を露光する。現像装置５２は、露光によって感光体５１の外周面部に形成される静電潜像を現像する。転写ユニット６３は、現像によって形成される可視像であるトナー像を、記録媒体である記録用紙に転写させる。転写ユニット６３は、たとえばコロナチャージャによって実現される。
【０１４９】
定着装置６４は、転写されたトナー像を記録用紙に定着させる。具体的には、定着装置６４は、内部に加熱ヒータ６９を備える加熱ローラ６７と、加熱ローラ６７の表面部に弾発的に当接する加圧ローラ６８とを有する。クリーニングユニット６５は、クリーニングブレード７０を備え、転写ユニット６３による転写動作後に感光体５１の外周面部に残留するトナーをクリーニングブレード７０によって掻き取って除去し、感光体５１の外周面部を清浄化する。除電装置６６は、クリーニングユニット６５による清浄化後の感光体５１の外周面部を除電する。
【０１５０】
給紙部８０は、下部筐体７２の内部に設けられ、記録媒体である記録用紙が収容される給紙カセット８１と、下部筐体７２の側面部から突出して設けられ、記録用紙が載置される手差しトレイ８２と、給紙カセット８１に収容される記録用紙を第１搬送路８３に送給する第１給紙ローラ８４と、手差しトレイ８２に載置される記録用紙を第２搬送路８５に送給する第２給紙ローラ８６と、記録用紙を一時的に保持し、タイミングを計って画像形成部６０に送給するレジストローラ８７とを含む。
【０１５１】
排紙部９０は、画像形成部６０の定着装置６４でトナー像が定着された記録用紙を排紙トレイ９１に排出させる排紙ローラ９２と、排紙ローラ９２によって排出される記録用紙を収容する排紙トレイ９１とを含む。
【０１５２】
画像形成装置５０は、画像形成（以下「印刷」ということがある）モードとして、複写モード（以下「コピアモード」ということがある）、プリンタモードおよびファクシミリモードを有する。不図示の操作部からの操作入力、パーソナルコンピュータなどの外部ホスト装置からの印刷ジョブの受信に応じて、対応する印刷モードが、前述の印刷モードの中から、後述する不図示の制御部によって選択される。
【０１５３】
前述の印刷モードのうち、コピアモードが選択される場合、以下のようにして画像が形成される。使用者によって原稿読取装置１００のプラテン板４または原稿載置台５に原稿が載置され、給紙部８０の給紙カセット８１または手差しトレイ８２に記録用紙が供給され、さらに原稿読取装置１００の主走査部２の図１０の紙面に向かって手前側に配置される不図示の操作パネル部１０６の条件入力キーにて印刷枚数、印刷倍率などが入力された後、操作パネル部のスタートキーが操作されると、複写（コピー）動作が開始される。
【０１５４】
スタートキーが操作されると、不図示のメイン駆動モータが始動し、不図示の各駆動ギヤが回転する。次いで、給紙部８０の第１給紙ローラ８４または第２給紙ローラ８６が回転して記録用紙が第１搬送路８３または第２搬送路８５に送出（給紙）され、一対のレジストローラ８７に到達して捕捉される。このレジストローラ８７によって、記録用紙は、感光体５１の表面部に形成されるトナー像の先端部すなわち画像形成開始部が転写ユニット６３の設けられる位置に達するタイミングと、記録用紙の画像形成予定領域が転写ユニット６３の設けられる位置に達するタイミングとの同期をとるために一時停止される。またこのとき、記録用紙の先端部がレジストローラ３１に均一に押しつけられて記録用紙の先端位置の補正が行なわれる。
【０１５５】
また原稿読取装置１００では、第１および第２画像読取手段１０，２０によって原稿の画像情報である原稿画像が読取られ、前述の図１に示す画像処理部１０３に出力される。画像処理部１０３では、前述のようにして、入力された原稿画像に対して設定された条件で画像処理が施される。この画像処理が施された原稿画像は、画像形成部６０のレーザスキャナユニット６２にプリントデータとして送信される。
【０１５６】
画像形成部６０では、帯電ユニット６１によって、感光体５１の外周面部の一部分が感光体５１の軸方向全体にわたって所定の電位に帯電され、さらに感光体５１が回転することによって感光体５１の外周面部全体が所定の電位に帯電される。帯電された感光体５１の外周面部は、感光体５１の回転によって次の工程に順次移動する。
【０１５７】
レーザスキャナユニット６２では、図示しないけれども、回転方向に複数の反射面を有したポリゴンミラー（回転多面鏡）および各種光学系によって、半導体レーザから出射されたレーザ光が、画像処理部から入力されたプリントデータに応じて偏向されながら感光体５１に照射される。これによって、レーザ光が帯電ユニット６１によって帯電された感光体５１の外周面部に走査され、感光体５１の外周面部に静電潜像が形成される。
【０１５８】
その後、現像装置５２の現像剤収容容器５４内のマグネットローラ５３によって、現像剤収容容器５４に収容される現像剤中のトナーが、回転する感光体５１の外周面部に供給される。トナーは、静電潜像を形成する電位ギャップに応じて感光体５１の外周面部に付着する。これによって静電潜像が顕像化（現像）され、出力画像であるトナー像が形成される。このように本実施形態の画像形成装置５０では、原稿読取装置１００によって読取られる原稿画像に基づいて、出力画像が形成される。
【０１５９】
また給紙部８０のレジストローラ８７によってタイミングを計って、画像が形成されるべき記録用紙が、感光体５１と転写ユニット６３との間の転写位置に送給される。転写位置では、転写ユニット６３によって感光体５１の外周面部に形成されたトナー像が記録用紙に転写される。
【０１６０】
トナー像が転写された記録用紙は、定着装置６４に搬送され、定着装置６４の加熱ローラ６７と加圧ローラ６８との間を通過するときに熱および圧力が加えられる。これによって、記録用紙の表面部の未定着トナーが溶融して記録用紙に固着し、定着される。トナー像が定着された記録用紙は、排紙部９０の排紙ローラ９２によって排紙トレイ９１に排出される。
【０１６１】
また記録用紙に転写されずに感光体５１の外周面部に残留したトナーは、クリーナーユニット６５のクリーニングブレード７０によって掻き取られ、回収される。クリーニングブレード７０によって残留するトナーが掻き取られた感光体５１の外周面部は、帯電ユニット６１の配置される位置に移動する途中で除電装置６６によって除電される。感光体５１の外周面部は、除電する必要がない場合には、除電装置６６によって除電されなくてもよい。
【０１６２】
前述のプリンタモードの場合には、画像読取部４０は動作せず、パーソナルコンピュータなどの外部ホスト装置から入力される画像情報に応じて画像が形成される。またファクシミリモードの場合には、通信回線を介して入力される画像情報に応じて画像が形成される。
【０１６３】
本実施形態の画像形成装置５０は、前述の第１実施形態の原稿読取装置１００を備える。第１実施形態の原稿読取装置１００の第２画像処理部２２０は、読取可能領域よりも寸法の小さい基準原稿を原稿読取部によって複数回読取って取得される読取可能領域内の全ての画素の画素値に基づいて、読取可能領域内の全ての画素の基準値を求めるので、基準値を求めるために読取可能領域の寸法と同じか、それよりも大きい寸法の基準原稿を用いる必要がない。したがって、たとえば市販の規定寸法の紙を基準原稿として用いて基準値を求めることができるので、汚れが無い、または汚れが可及的に少なく、基準値の取得に適した状態の基準原稿を用いて、基準値を求めることができる。
【０１６４】
このようにして求められる基準値に基づいて、第２画像処理部２２０が原稿画像を補正するので、原稿画像を精度良く補正することができる。このように精度良く補正された原稿画像に基づいて、画像形成手段によって出力画像が形成されるので、原稿に忠実に即した出力画像を形成可能な画像形成装置５０が実現される。
【図面の簡単な説明】
【０１６５】
【図１】本発明の第１の実施形態である原稿読取装置１００の一部の電気的構成を示すブロック図である。
【図２】原稿読取装置１００の電気的構成を示すブロック図である。
【図３】原稿読取装置１００を示す斜視図である。
【図４】原稿読取装置１００を示す断面図である。
【図５】第１シェーディング補正手段２１４または切取合成手段２２７によって取得される基準値の一例を示す。
【図６】第２画像読取手段２０の読取可能領域Ｓ０と第１および第２規制部材３２，３３との位置関係を模式的に示す平面図である。
【図７】第２画像読取手段２０の読取可能領域Ｓ０と白基準シート２０２との位置関係を模式的に示す平面図である。
【図８】第２画像読取手段２０の読取可能領域Ｓ０と白基準シート２０２との位置関係を模式的に示す平面図である。
【図９】原稿読取装置１００を原稿載置台５側から見た状態を簡略化して示す平面図である。
【図１０】原稿載置台５に白基準シート２０２を載置した状態を原稿載置台５側から見て示す平面図である。
【図１１】原稿載置台５に白基準シート２０２を載置した状態を原稿載置台５側から見て示す平面図である。
【図１２】切取手段２２９への画素データの出力タイミングと、切取範囲設定手段２２８から切取手段２２９へのパルスの入力タイミングと、第２基準値記憶手段２２５への画像データの出力タイミングとの関係を説明するための図である。
【図１３】切取手段２２９への画素データの出力タイミングと、切取範囲設定手段２２８から切取手段２２９へのパルスの入力タイミングと、第２基準値記憶手段２２５への画像データの出力タイミングとの関係を説明するための図である。
【図１４】切取合成手段２２７による基準値の合成の仕方を説明するための図である。
【図１５】第２基準値記憶ステップにおける制御部１０１の基準値取得動作の処理手順を示すフローチャートである。
【図１６】本発明の第２実施形態の原稿読取装置３００の電気的構成を示すブロック図である。
【図１７】補正合成手段３０１による基準値の合成の仕方を説明するための図である。
【図１８】第２基準値記憶ステップにおける制御部１０１の基準値取得動作の処理手順を示すフローチャートである。
【図１９】図１に示す第１の実施形態の原稿読取装置１００を備える画像形成装置５０を示す断面図である。
【符号の説明】
【０１６６】
１０  第１画像読取手段
２０  第２画像読取手段
１０３  画像処理部
２１０  第１画像処理部
２２０  第２画像処理部
２２２  第２増幅器
２２３  第２Ａ／Ｄ変換器
２２４  第２シェーディング補正手段
２２５  第２基準値記憶手段
２２６  第２出力値変換手段
２２７  切取合成手段
２２８  切取範囲設定手段
２２９  切取手段
【図１】
2009016915.tif 000003
【図２】
2009016915.tif 000004
【図３】
2009016915.tif 000005
【図４】
2009016915.tif 000006
【図５】
2009016915.tif 000007
【図６】
2009016915.tif 000008
【図７】
2009016915.tif 000009
【図８】
2009016915.tif 000010
【図９】
2009016915.tif 000011
【図１０】
2009016915.tif 000012
【図１１】
2009016915.tif 000013
【図１２】
2009016915.tif 000014
【図１３】
2009016915.tif 000015
【図１４】
2009016915.tif 000016
【図１５】
2009016915.tif 000017
【図１６】
2009016915.tif 000018
【図１７】
2009016915.tif 000019
【図１８】
2009016915.tif 000020
【図１９】
2009016915.tif 000021